(57)【要約】【課題】外壁版がロッキング構法により躯体に取り付けられる建物においても足場を躯体に接続可能とし、また、外壁版の割り付けに影響が生じ難い構成とした、外壁版の目地構造及び建物を提供する。【解決手段】外壁２を構成する複数の外壁版３が躯体４に対してロッキング構法によって取り付けられており、足場接続用のアンカー部材を接続可能な固定部材５が躯体に固定される建物１００における、外壁版の目地構造１であって、固定部材５が、上下に配置された外壁版３間の横目地部１１に配置されることを特徴とする。【選択図】図１
2020070613.tif 000002
【特許請求の範囲】
【請求項１】
外壁を構成する複数の外壁版が躯体に対してロッキング構法によって取り付けられており、足場接続用のアンカー部材を接続可能な固定部材が躯体に固定される建物における、外壁版の目地構造であって、
前記固定部材が、上下に配置された外壁版間の横目地部に配置されることを特徴とする外壁版の目地構造。
【請求項２】
前記固定部材の上方又は下方に位置する前記外壁版の何れか一方のみに、該固定部材を配置するための切欠き部が形成されている、請求項１に記載の外壁版の目地構造。
【請求項３】
前記固定部材は、前記横目地部の目地幅の中心よりも下側に偏心して配置される、請求項１または２に記載の外壁版の目地構造。
【請求項４】
前記固定部材は、前記外壁版の横幅の中央部に配置される、請求項１〜３の何れか一項に記載の外壁版の目地構造。
【請求項５】
前記固定部材は、前記アンカー部材を接続可能な雌ねじを有する、請求項１〜４の何れか一項に記載の外壁版の目地構造。
【請求項６】
前記固定部材は、前記躯体を構成する梁の上側フランジの下面側に固定される、請求項１〜５の何れか一項に記載の外壁版の目地構造。
【請求項７】
前記固定部材は、該固定部材の先端が前記外壁の表面に露出するように配置される、請求項１〜６の何れか一項に記載の外壁版の目地構造。
【請求項８】
請求項１〜７の何れか一項に記載の外壁版の目地構造を備えることを特徴とする建物。
【発明の詳細な説明】
【技術分野】
【０００１】
本発明は、足場を建物の躯体に接続するための固定部材を備えた建物における、外壁版の目地構造、及び建物に関する。
【背景技術】
【０００２】
従来、建物の周囲に足場を設置して外壁の施工作業等を行うことがある。そして、足場の安定性を高めるために、壁つなぎ用のアンカー部材等を介して、足場を建物の躯体に接続する方法が知られている。
【０００３】
例えば、特許文献１には、壁つなぎ用のアンカー部材を建物の躯体に接続するための壁つなぎ取付金物が開示されている。当該壁つなぎ取付金物は、一端側に、建物の鉄骨柱に係合可能なフック部が設けられ、他端側に、アンカー部材を接続可能な接続部が設けられたものである。
【０００４】
そして、この壁つなぎ取付金物は、複数の外壁版（外壁パネル）により構成される外壁において、左右に隣接する外壁版間の縦目地部を通してフック部を建物の鉄骨柱に係合させるとともに、他端側の接続部を縦目地部から外部に突出させた状態で、接続部に足場側のアンカー部材を接続して使用する。
【先行技術文献】
【特許文献】
【０００５】
【特許文献１】特開平５−３４００８７号公報
【発明の概要】
【発明が解決しようとする課題】
【０００６】
しかしながら、上記の特許文献１に記載された壁つなぎ取付金物は、左右に隣接する外壁版間の縦目地部に配置することを前提としている。そのため、例えば、各外壁版がロッキング構法により躯体に取付けられた建物のように、左右に隣接する外壁版間の縦目地部の隙間が小さい場合、または隙間がない場合には、使用することが困難である。
【０００７】
また、壁つなぎ取付金物の設置間隔は、足場の強度を確保する観点から、所定の範囲に定められている。特許文献１の壁つなぎ取付金物は、左右に隣接する外壁版間の縦目地部に配置するものであるため、当該縦目地部の位置を上記所定の設置間隔に合わせなければならず、外壁版の割り付けに影響が生じる虞がある。
【０００８】
それゆえ本発明は、外壁版がロッキング構法により躯体に取り付けられる建物においても足場を躯体に接続可能とし、また、外壁版の割り付けに影響が生じ難い構成とした、外壁版の目地構造及び建物を提供することを目的とする。
【課題を解決するための手段】
【０００９】
本発明は、外壁を構成する複数の外壁版が躯体に対してロッキング構法によって取り付けられており、足場接続用のアンカー部材を接続可能な固定部材が躯体に固定される建物における、外壁版の目地構造であって、
前記固定部材が、上下に配置された外壁版間の横目地部に配置されることを特徴とするものである。
【００１０】
なお、本発明の外壁版の目地構造にあっては、前記固定部材の上方又は下方に位置する前記外壁版の何れか一方のみに、該固定部材を配置するための切欠き部が形成されていることが好ましい。
【００１１】
また、本発明の外壁版の目地構造にあっては、前記固定部材は、前記横目地部の目地幅の中心よりも下側に偏心して配置されることが好ましい。
【００１２】
また、本発明の外壁版の目地構造にあっては、前記固定部材は、前記外壁版の横幅の中央部に配置されることが好ましい。
【００１３】
また、本発明の外壁版の目地構造にあっては、前記固定部材は、前記アンカー部材を接続可能な雌ねじを有することが好ましい。
【００１４】
また、本発明の外壁版の目地構造にあっては、前記固定部材は、前記躯体を構成する梁の上側フランジの下面側に固定されることが好ましい。
【００１５】
また、本発明の外壁版の目地構造にあっては、前記固定部材は、該固定部材の先端が前記外壁の表面に露出するように配置されることが好ましい。
【００１６】
また、本発明の建物は、上記の何れかの外壁版の目地構造を備えることを特徴とする。
【発明の効果】
【００１７】
本発明によれば、外壁版がロッキング構法により躯体に取り付けられる建物においても足場を躯体に接続可能とし、また、外壁版の割り付けに影響が生じ難い構成とした、外壁版の目地構造及び建物を提供することができる。
【図面の簡単な説明】
【００１８】
【図１】本発明の一実施形態としての外壁版の目地構造を示す鉛直方向の断面図である。
【図２】図１の外壁版の目地構造の正面図である。
【図３】固定部材の一例を示す平面図である。
【図４】図３の固定部材の側面図である。
【発明を実施するための形態】
【００１９】
以下、本発明の一実施形態について、図面を参照しつつ説明する。なお、各図において共通する構成には同一の符号を付している。
【００２０】
図１は、建物１００における外壁版の目地構造１を示す鉛直方向の断面図（縦断面図）であり、図２は、当該外壁版の目地構造１を建物１００の外側から見た正面図である。
【００２１】
ここで、一例としての建物１００の全体構成について説明する。建物１００は、例えば、鉄骨造の骨組みを有する２階建ての住宅とすることができる。また、建物１００は、地盤に固定された基礎構造体と、当該基礎構造体上に固定される上部構造体と、で構成される。
【００２２】
基礎構造体は、上部構造体の下方に位置し、その骨組みを支持するものであり、例えば、鉄筋コンクリート造の断面Ｔ字状の布基礎とすることができる。上部構造体は、複数の柱と、柱間に架設された複数の梁４とで構成される骨組み（躯体）と、この躯体の外周側に配置される外壁２と、躯体を構成する梁４上に配置される各階の床及び屋根と、を備える。
【００２３】
建物１００は、建物１００の外周を取り囲む外壁２（外周壁）を備え、外壁２は、複数のパネル状の外壁版３が連接して配置されることにより構成される。また、各外壁版３は、躯体に対してロッキング構法によって取り付けられている。つまり、各外壁版３は、層間変位等に伴い、躯体に対して左右に揺動することができるように構成されている。
【００２４】
ここで、外壁版３の具体例としては、例えば、軽量気泡コンクリート（以下、「ＡＬＣ」と記載する。「ＡＬＣ」とは「autoclaved light weight concrete」の略である。）のパネル、ＰＣコンクリートパネル、及び押出成型セメント板などを用いることができるが、ロッキング構法により躯体に取付け可能なものであれば、外壁版３の材質、形状等の具体的な構成は特に限定されない。この外壁版３を、躯体を構成する構造部材としての梁４、柱等の外周側に連接することにより、外皮層としての外壁２を形成することができる。なお、上下に配置された外壁版３間の横目地部１１、左右に隣接する外壁版３間の縦目地部１２にはそれぞれ、シーリング１３、１４が施される（図２参照）。
【００２５】
なお、本例では、左右に隣接する外壁版３間の隙間（縦目地部１２の目地底に形成される外壁版３間の隙間）が１ｍｍであり、また、上下に配置された外壁版３間の隙間（横目地部１１の目地底に形成される外壁版３間の隙間）が１５ｍｍであるが、それぞれの隙間の大きさは適宜変更可能である。また、本例において縦目地部１２の目地幅は１７ｍｍであり、横目地部１１の目地幅は２０ｍｍである。なお、「目地幅」とは、目地底の幅ではなく、所謂「シーリング幅」、すなわち、各目地部１１、１２においてシーリング１３、１４を施す範囲の最大幅を意味する。
【００２６】
図１に示すように、建物１００は、外壁版３を支持し、躯体を構成する構造部材としての梁４と、足場を躯体に接続するためのアンカー部材を接続可能な固定部材５とを備える。
【００２７】
梁４は、建物１００の外周を取り囲む外壁２に沿って配置され、水平方向に延在するものであり、複数の柱によって支持される。本例の梁４は、ウェブ４ａと、当該ウェブ４ａの上下端にそれぞれ連なる上側フランジ４ｂ及び下側フランジ４ｃとを有するＨ形鋼で構成されている。なお、梁４の形状及び材質は適宜変更可能である。
【００２８】
梁４の上側フランジ４ｂ及び下側フランジ４ｃには、ボルト７等を通すための複数の貫通孔が形成されている。上側フランジ４ｂの上面には、支持部材６が、ボルト７及びナット８等の締結部材により固定されている。
【００２９】
本例の支持部材６は、断面がＴ字状となるように溶接された板状の鋼材からなる長尺部材であり、梁４の延在方向に沿って配置される。また、本例の支持部材６は、外壁版３の横幅（水平方向の長さ）全体を下方から支持するように延在している。なお、支持部材６は、必ずしも外壁版３の横幅全体を支持する長尺部材である必要はなく、外壁版３の横幅よりも長さの短い複数の支持部材を用いる構成としてもよい。その場合、例えば１枚の外壁版３に対して、複数の支持部材を、互いに間隔をあけて配置して、当該外壁版３を支持する構成とすることができる。
【００３０】
本例の支持部材６は、図１、２に示すように、水平方向に延在する水平板部６ａと、水平板部６ａの上面から垂直に立設する鉛直板部６ｂとを有する。水平板部６ａにおける鉛直板部６ｂよりも屋内側の部分は、上側フランジ４ｂの上面に載置され、当該上側フランジ４ｂに締結固定される。また、水平板部６ａにおける鉛直板部６ｂよりも屋外側の部分は、外壁版３の下面に当接して外壁版３を下方から支持する。また、鉛直板部６ｂは、外壁版３の屋内側の面にあてがわれ、支持部材６に対して外壁版３がロッキング（揺動）可能な状態で、ボルト等の締結部材を用いて締結される。すなわち、外壁版３は、支持部材６に対して外壁版３の厚さ方向に移動しないように構成される。
【００３１】
また、梁４には、固定部材５がボルト７及びナット８等の締結部材により固定されている。ここで、本例の固定部材５は、図３、４にも示すように、梁４に締結固定される板状の固定部５ａと、内周面に雌ねじが設けられた円筒状の接続部５ｂとを有する。固定部５ａには、ボルト７等を通すための貫通孔５ｃが２箇所に形成されている。また、固定部５ａには、接続部５ｂを所定の高さに配置するための屈曲部５ｄ、５ｅが形成されている。当該屈曲部５ｄ、５ｅで高さを調整することによって、固定部５ａを躯体（本例では梁４の上側フランジ４ｂの下面）に固定した状態で、接続部５ｂが外壁版３の横目地部１１の所定の高さに配置される。なお、固定部材５は、金属製の部材（金物）とすることができるが、材質は特に限定されず、適度な剛性を有するものであれば樹脂製等でもよい。
【００３２】
接続部５ｂは、足場を躯体に接続するためのアンカー部材を接続可能な構成であり、本例の場合、当該アンカー部材は、接続部５ｂの雌ねじに螺合する雄ねじを備える。なお、接続部５ｂ側に雄ねじを設け、アンカー部材側に雌ねじを設けてもよい。また、固定部材５とアンカー部材との接続は、雄ねじと雌ねじとのねじ結合による接続方法に限らず、他の接続方法を用いた構成でもよい。また、固定部材５の形状は適宜変更可能であり、例えば、屈曲部５ｄ、５ｅを設けずに固定部５ａ全体を平坦な板状としてもよいし、固定部５ａに対する接続部５ｂの位置、角度等を変更することも可能である。
【００３３】
図１に示すように、固定部材５は、外壁２の屋内側に位置する梁４から、上下に配置された外壁版３間の横目地部１１の隙間を通って、外壁２の表面まで延在している。すなわち、固定部材５は、上下に配置された外壁版３間の横目地部１１に配置され、且つ、外壁２を厚さ方向に貫通しており、接続部５ｂの先端は、外壁２の表面に露出している。また、本例の固定部材５は、接続部５ｂの軸心Ａが、水平方向に延在し、且つ、平面視で外壁２（外壁版３）に対して垂直に延在するように配置される。また、本例では、固定部材５の下方に位置する外壁版３に、固定部材５を配置するための切欠き部１５が形成されている。また、本例の固定部材５は、支持部材６の下方に配置されている。
【００３４】
また、図１、２に示すように、外壁版３の表面において、固定部材５の接続部５ｂの周囲には凹状のシーリングポケット１６（座掘り部分）が形成される。シーリングポケット１６には、シーリング剤（隙間充填剤）が充填されてシーリング１７を形成する。これにより、固定部材５と外壁版３との間の隙間を塞いで外壁２の気密性、防水性を確保することができる。なお、シーリングポケット１６は、例えば図２に示すように、正面視で円形とすることができるが、これに限定されず、他の形状としてもよい。
【００３５】
また、本例では、梁４に支持部材６を固定するボルト７及びナット８を用いて、固定部材５を梁４に固定している。つまり、本例においては、図１に示すボルト７が、支持部材６の水平板部６ａと、上側フランジ４ｂと、固定部材５とをまとめて貫通した状態で締結されている。このように、支持部材６と固定部材５とを、共通の締結部材を用いてまとめて梁４に締結固定することにより、使用する締結部材の数を削減することができる。
【００３６】
以上のように、本実施形態にあっては、梁４に固定した固定部材５を、上下に配置された外壁版３間の横目地部１１に配置する構成としている。そして、外壁２の表面に露出した固定部材５の接続部５ｂに対して、足場接続用のアンカー部材を接続することで、足場を躯体（梁４）に接続することができる。このように、本実施形態では、横目地部１１に配置した固定部材５を用いて、容易に足場を躯体に接続することができる。
【００３７】
なお、ロッキング構法の外壁２の場合、基本的に、左右に隣接する外壁版３間の（縦目地部１２の）隙間よりも上下に配置された外壁版３間の（横目地部１１の）隙間の方が大きくなっている。このため、本実施形態のように上下に配置された外壁版３間の横目地部１１に固定部材５を配置することで、固定部材５を配置するための、外壁版３に形成する切欠き部１５を少なくとも小さくすることができ、場合によっては当該切欠き部１５を不要とすることができる。すなわち、固定部材５を配置するための外壁版３の削り量を低減することができる。
【００３８】
また、本実施形態では、縦目地部１２の目地幅（シーリング幅）よりも横目地部１１の目地幅の方が大きい。したがって、横目地部１１に固定部材５を配置することで、シーリングポケット１６を形成するための外壁版３の切削量を低減することができる。その結果、施工にかかる手間が低減されるのみならず、外壁版３の切削による外壁２の意匠性の低下も抑制することができる。
【００３９】
また、本実施形態では、固定部材５が外壁２から大きく突出しない構成としているので、施工後に固定部材５を撤去する必要がなく、建物１００の補修、メンテナンス等の際に再度、固定部材５をそのまま使用することができる。また、アンカー部材を接続するための接続部５ｂを雌ねじ構造とすることで、外壁版３に埋め込むように配置することができ、外壁版３の表面からの突出量を低減することができる。さらに、接続部５ｂを雌ねじ構造としたことで、外壁版３の表面から突出しないようにすることも可能となる。また、接続部５ｂを雌ねじ構造としたことで、雄ねじ構造とする場合に比べて、シーリングポケット１６にシーリング剤を充填する際に、ねじ溝（ねじ山）にシーリング剤が付着し難い。また、接続部５ｂのねじ穴を着脱可能な蓋等で塞いでおけば、ねじ孔にシーリング剤が入り込むことをより確実に防止することができる。さらに、施工後において、接続部５ｂのねじ穴を蓋で塞ぐことで、ねじ穴にゴミ等が侵入することも防止することができる。そして、建物１００の補修等の際に再度アンカー部材を接続する時には、蓋を接続部５ｂから取り外して使用すればよい。
【００４０】
また、横目地部１１に固定部材５を配置する構成としたことにより、縦目地部１２の場合と比べて、外壁版３の割り付けに影響が生じ難くなる。すなわち、横目地部１１に固定部材５を配置する構成としたことで、足場の強度及び安定性を確保する上で定められた所定の設置間隔で固定部材５を容易に配置することができる。
【００４１】
このように、本実施形態によれば、外壁版３がロッキング構法により躯体に取り付けられる建物１００において足場を躯体に接続可能とし、また、外壁版３の割り付けに影響が生じ難い構成とした外壁版の目地構造１、及び建物１００を提供することができる。
【００４２】
また、上下に配置された外壁版３間の横目地部１１の目地幅、及び、固定部材５の厚み等の条件に応じて、外壁版３には、本例のように、固定部材５を配置するための切欠き部１５が形成される場合がある。切欠き部１５を設ける場合、固定部材５を上方又は下方の外壁版３に寄せて配置して、固定部材５の上方又は下方に位置する外壁版３の何れか一方のみに、切欠き部１５が形成されるようにすることが好ましい。このような構成とすることで、外壁版３を切削等により切り欠く施工手間を軽減することができる。なお、固定部材５の上方及び下方に位置する外壁版３の両方に切欠き部１５を設けてもよい。
【００４３】
また、本例の固定部材５は、図１に示すように、横目地部１１の目地幅の中心となる線Ｃよりも下側に偏心して配置されている。すなわち、本例の固定部材５は、固定部材５の接続部５ｂの軸心Ａが、横目地部１１の目地幅の中心線Ｃよりも下方に位置するように配置されている。このような構成とすることにより、シーリングポケット１６を形成するための、固定部材５の上方の外壁版３の切欠き量が、固定部材５の下方の外壁版３の切欠き量よりも小さくなる。その結果、建物１００の下方からシーリングポケット１６を見上げた際に目立ち難くなり、シーリングポケット１６による外観の意匠性の低下を抑制することができる。すなわち、固定部材５の上方に設けたシーリングポケット１６は、下方から見上げた際に影となるため目立ち易く、外観の意匠性を損ない易いところ、固定部材５の上方側のシーリングポケット１６を、下方側のシーリングポケット１６よりも小さくすることで目立ち難くして、見栄えの悪化を防止することができる。
【００４４】
ここで、固定部材５は、横目地部１１に配置されていればその位置は特に限定されるものではないが、図２に実線で示すように、外壁版３の横幅の中央部に配置されることが好ましい。このような構成により、ロッキング時のシーリング１３、１７への負荷を低減することができる。すなわち、ロッキング時の変位量は、外壁版３の横幅の両側端部に比べて中央部の方が小さいため、当該中央部に固定部材５を配置することで、ロッキング時における固定部材５と外壁版３との相対的な位置ずれを小さくすることができる。その結果、固定部材５と上下の外壁版３に挟まれた位置にあるシーリング１３、１７への負荷を低減することができる。
【００４５】
なお、固定部材５は、図２に二点鎖線で示すように、横目地部１１と縦目地部１２の交点部分に配置してもよい。この場合、切欠き部１５及びシーリングポケット１６を形成するための切削量をさらに低減することができ、切削の施工手間を軽減することができる。
【００４６】
また、本実施形態では、固定部材５を、梁４の上側フランジ４ｂの下面側に固定している。上側フランジ４ｂの上面には、本例のような支持部材６に限らず、他の金物類、床材、及び上階の柱等が配置されることがあるため、上側フランジ４ｂの下面側に固定部材５を配置することで、固定部材５の取付け位置が制限され難くなる。その結果、足場の強度を確保する上で適切な間隔で固定部材５を設置することができるので、足場の強度及び安定性を確保し易くなる。
【００４７】
本発明は、上述した実施形態の構成に限定されるものではなく、特許請求の範囲で記載された内容を逸脱しない範囲で、様々な構成により実現することが可能である。例えば、上記実施形態では、梁４の上側フランジ４ｂの下面側に固定部材５を締結固定しているが、これに限られず、例えば、上側フランジ４ｂの上面側に固定部材５を固定してもよい。また、固定部材５を、ウェブ４ａまたは下側フランジ４ｃに固定してもよいし、梁４以外の躯体（例えば柱等）に固定してもよい。また、固定部材５は、躯体に対して溶接により固定してもよい。また、固定部材５は、本例のように躯体に直接固定してもよいし、他の部材を介して間接的に固定してもよい。
【符号の説明】
【００４８】
１：外壁版の目地構造
２：外壁
３：外壁版
４：梁（躯体）
４ａ：ウェブ
４ｂ：上側フランジ
４ｃ：下側フランジ
５：固定部材
５ａ：固定部
５ｂ：接続部
５ｃ：貫通孔
５ｄ、５ｅ：屈曲部
６：支持部材
６ａ：水平板部
６ｂ：鉛直板部
７：ボルト（締結部材）
８：ナット（締結部材）
１１：横目地部
１２：縦目地部
１３、１４：シーリング
１５：切欠き部
１６：シーリングポケット
１７：シーリング剤
Ａ：固定部材の接続部の軸心
Ｃ：目地幅の中心線
１００：建物
【図１】
2020070613.tif 000003
【図２】
2020070613.tif 000004
【図３】
2020070613.tif 000005
【図４】
2020070613.tif 000006